(57)【要約】【課題】前後に複数列の走行ローラーを備えた搬送ローラーにおいて、一つの走行ローラーのみによるか、全ての走行ローラーによるかのを選択して人力で走行制御する。【解決手段】前後に配した複数のローラー軸Ｌによって走行ローラーＷを躯体に支承すると共に、躯体側方に突出するローラー軸Ｌ端を回転させて走行移動可能にしてあって、躯体上に被運搬物Ｃを載置可能にした搬送ローラーＲとする。躯体側面に着脱自在に取り付けるケース体１と、ローラー軸Ｌ端に着脱自在に嵌め合わせるようケース体１に回転自在に支承した複数のスプロケット歯車１０と、スプロケット歯車１０相互間に掛巡する連繋チェーン１５とを備えて成る。ケース体１は、前ケース部２、後ケース部３から成り、後ケース部３は、これの中央部分が両側から抉られることで狭幅な、また前ケース部２側に突出折曲した断面で溝形の連結部４を有して構成する。【選択図】      図１
2008100829.tif 000002
【特許請求の範囲】
【請求項１】
前後に配した複数のローラー軸によって走行ローラーを躯体に支承すると共に、躯体側方に突出するローラー軸端を回転させることで走行移動可能にしてあって、躯体上に被運搬物を載置可能にして成る搬送ローラーにおいて、躯体側面に着脱自在に取り付けられるケース体と、ローラー軸端に着脱自在に嵌め合わせられるようケース体に回転自在に支承した複数のスプロケット歯車と、スプロケット歯車相互間に掛巡される連繋チェーンとを備えて成ることを特徴とする搬送ローラー走行用連動装置。
【請求項２】
ケース体は、所定の深さに形成されることで周側壁を備えた前ケース部と、この前ケース部とほぼ同型の外郭形状を呈し、前ケース部の長円形開口部に施蓋されるプレート状の後ケース部とから成り、後ケース部は、これの中央部分が両側から抉られているようにされることで狭幅な、また前ケース部側に突出折曲されている断面で溝形の連結部を有する請求項１に記載の搬送ローラー走行用連動装置。
【請求項３】
スプロケット歯車には、ローラー軸端とは断面で非円形状の内外形状となって嵌め合わせられる連結孔を形成してある請求項１または２に記載の搬送ローラー走行用連動装置。
【請求項４】
スプロケット歯車は、前後に一対にしてケース体内に配してある請求項１乃至３のいずれかに記載の搬送ローラー走行用連動装置。
【発明の詳細な説明】
【技術分野】
【０００１】
本発明は、例えば重量的に嵩張る各種機器類を搬送するとき等に使用される前後に複数列に配したローラー構造の搬送ローラーにおいて、手動操作等で走行移動させるとき、例えばその微調整の移動に際し、前後の走行ローラーを同時に回転して移動操作できるように、搬送ローラーに着脱式に取付可能にした搬送ローラー走行用連動装置に関する。
【背景技術】
【０００２】
従来から重量的に嵩張る各種機器類（被運搬物）を工場内に据え付けるとき、また、移動するとき等では、走行ローラーを複数列で前後に配設して成るローラー構造の搬送ローラーが使用されている。例えば複数対にした走行ローラーを支承配列した搬送ローラー上に被運搬物を載置し、走行ローラーの転動で被運搬物を所定箇所に移動し、据え付ける。搬送ローラー自体は例えば電動式により、あるいは非電動式すなわち人力操作・作業による移動を可能にした構成としてある。そして、比較的に小型でそれほどの重量がない被運搬物の場合には作業員の人力によって走行、移動させる非電動である人力移動式構成のものが使用されている。
【特許文献１】特になし
【発明の開示】
【発明が解決しようとする課題】
【０００３】
しかしながら、例えば据え付け位置を精密に設定する等で僅かの範囲で移動させるときには、電動式あるいは人力移動式のいずれであってもこれに対応するには困難な場合が多い。すなわちモータ駆動制御あるいは押したり、引いたりする人力では大きく移動しすぎたり、逆に少なく移動したり等で所定の場所に位置決めできないのである。
【０００４】
また、例えば人力移動式構成のものとして前後２列にして走行ローラーを配設した搬送ローラーが提案されている。この搬送ローラーにおける走行ローラーの転動操作には、回転方向がいずれかの一方向に選択できる一方向クラッチ構造の操作レバーを、搬送ローラー自体の躯体側方に突出している走行ローラー軸端に嵌め合わせておき、次いで操作レバーを繰り返し揺動操作して、転動する走行ローラーを介して搬送ローラー自体を移動させる。ただこの搬送ローラーでは、操作レバーが走行ローラーのいずれか一つのものに連繋されるのみであり、全ての走行ローラーを同時に操作させるものではなく、走行ローラーの走行安定性に欠けるものであった。
【０００５】
そこで本発明は叙上のような従来存した諸事情に鑑み創出されたもので、その目的は人力で移動走行する前後に複数列の走行ローラーを備えた搬送ローラーにおいて、その走行ローラーそれぞれを直接に転動できるようにすることで、走行安定性を向上できる。と同時に搬送ローラーの走行ローラー軸端に着脱自在に取り付け可能にすることで、走行ローラーそれぞれの単独転動による一般的な単独走行方式あるいは全ての走行ローラーの同期転動による例えば微調整移動を可能にする同期走行方式とするかの選択を可能にする搬送ローラー走行用連動装置を提供することにある。
【課題を解決するための手段】
【０００６】
上述した課題を解決するため、本発明にあっては、前後に配した複数のローラー軸Ｌによって走行ローラーＷを躯体に支承すると共に、躯体側方に突出するローラー軸Ｌ端を回転させることで走行移動可能にしてあって、躯体上に被運搬物Ｃを載置可能にして成る搬送ローラーにおいて、躯体側面に着脱自在に取り付けられるケース体１と、ローラー軸Ｌ端に着脱自在に嵌め合わせられるようケース体１に回転自在に支承した複数のスプロケット歯車１０と、スプロケット歯車１０相互間に掛巡される連繋チェーン１５とを備えて成ることを特徴とする。
ケース体１は、所定の深さに形成されることで周側壁を備えた前ケース部２と、この前ケース部２とほぼ同型の外郭形状を呈し、前ケース部２の開口部に施蓋されるプレート状の後ケース部３とから成り、後ケース部３は、これの中央部分が両側から抉られているようにされることで狭幅な、また前ケース部２側に突出折曲されている断面で溝形の連結部４を有するものとして構成することができる。
スプロケット歯車１０には、ローラー軸Ｌ端とは断面で非円形状の内外形状となって嵌め合わせられる連結孔１１を形成することができる。
スプロケット歯車１０は、前後に一対にしてケース体１に配することができる。
【０００７】
以上のように構成された本発明に係る搬送ローラー走行用連動装置にあって、躯体側方に突出されているローラー軸Ｌの回転によって搬送ローラーＲ自体が走行移動が可能であるとき、複数のローラー軸Ｌ端に嵌め合わせたスプロケット歯車１０相互間に連繋チェーン１５を掛巡してあることで、いずれか一方のローラー軸Ｌの回転は他方のローラー軸Ｌをも回転させる。前後に配したローラー軸Ｌに設けてある複数の走行ローラーＷの回転で複数駆動となって搬送ローラーＲ自体を円滑に微調整で前後に移動させる。
前後に配してある走行ローラーＷの複数列のローラー軸Ｌ端にスプロケット歯車１０を嵌め合わせ、スプロケット歯車１０相互間に連繋チェーン１５を掛巡してあることで、いずれかのローラー軸Ｌの回転は他のローラー軸をも同時に確実に回転させる。
スプロケット歯車１０、連繋チェーン１５は共にケース体１に設けてあることで、ケース体１の躯体に対する着脱は、スプロケット歯車１０がローラー軸端に嵌め合わせられることと相俟ち、躯体との固定、取り外しを可能にさせる。
ケース体１による躯体への着脱性は、例えば通常搬送時では走行ローラーＷの自由回転で躯体自体を走行移動させ、また躯体への装着、ローラー軸Ｌ端との嵌め合わせによる装着で複数の走行ローラーＷを、所定の駆動操作具によって僅かにでも移動走行させられ、例えば据え付け場所での精密な移動調整に役立つ。
【発明の効果】
【０００８】
本発明は以上のように構成されているため、前後に複数列の走行ローラーＷを備えるとき、その走行ローラーＷそれぞれを直接に同期させて転動して走行安定性を向上できる。また、搬送ローラーＲにおける走行ローラーＷのローラー軸Ｌ端に着脱自在に取り付け可能にすることで、走行ローラーＷそれぞれの単独による一般的な単独走行方式あるいは全ての走行ローラーＷの例えば微調整移動を可能にする同期移動方式とするかの選択を可能にする。
【０００９】
すなわちこれは本発明が、前後に配した複数のローラー軸Ｌによって走行ローラーＷを躯体に支承すると共に、躯体側方に突出するローラー軸Ｌ端を回転させることで走行移動可能にしてあって、躯体上に被運搬物Ｃを載置可能にして成る搬送ローラーＲにおいて、躯体側面に着脱自在に取り付けられるケース体１と、ローラー軸Ｌ端に着脱自在に嵌め合わせられるようケース体１に回転自在に支承した複数のスプロケット歯車１０と、スプロケット歯車１０相互間に掛巡される連繋チェーン１５とを備えて成るからである。これによって、走行ローラーＷそれぞれの単独転動、複数の走行ローラーＷの同期転動等を選択した走行移動形態とでき、作業現場における確実な微調整移動等を可能にする。
【００１０】
また、ケース体１は、前ケース部２、後ケース部３とで所定の収容空間を形成して、後ケース部３の中央部分に前ケース部２側に突出折曲させることで形成した断面で溝形の連結部４を有しているから、ケース体１に回転自在に支承したスプロケット歯車１０相互間に掛巡される連繋チェーン１５をケース体１内部に収納でき、全体のコンパクト化と躯体への着脱容易性とを図っている。
【００１１】
スプロケット歯車１０を躯体のローラー軸Ｌ端に嵌め合わせるとき、ローラー軸Ｌ端とは断面で非円形状の内外形状となって嵌め合わせられる連結孔１１を形成してあるから、きっちりと嵌め合わせられることでいずれか一方のスプロケット歯車１０の回転は連繋チェーン１５を経て他方のスプロケット歯車１０を介してローラー軸Ｌを同期で確実に回転させる。
【００１２】
このように前後に配した複数の走行ローラーＷを同期に転動できることで、いずれか一方のみを例えば一方向回転伝達構造を備えた所定の駆動操作具例えば揺動操作レバーＢによって回転操作させることで、全ての走行ローラーＷを同時に転動でき、例えば据え付け場所で精確に設置させる必要があるとのき各種機器の搬送設置に好適である。
【００１３】
尚、上記の課題を解決するための手段、発明の効果の項夫々において付記した符号は、図面中に記載した構成各部を示す部分との参照を容易にするために付した。本発明は図面中の符号によって示された構造・形状等に限定されない。
【発明を実施するための最良の形態】
【００１４】
以下図面を参照して本発明を実施するための最良の一形態を説明する。図において示される符号１は、所定の搬送ローラーＲにおける前後の走行ローラーＷのローラー軸Ｌ端を覆うようにした正面からみてほぼ長円形状を呈するケース体である。図示にあっての搬送ローラーＲ自体は、例えばアルミニウムを素材として軽量に形成した躯体を有し、走行ローラーＷは前後で対状に配されていて、走行ローラーＷは互いに独立して転動、回転するようにしてある。
【００１５】
また走行ローラーＷは、搬送ローラーＲの躯体にローラー軸Ｌによって支承させてあり、このローラー軸Ｌにおけるケース体１外への突出部分は、断面で非円形状例えばほぼ６角形状を呈する棒状の軸部となっている。搬送ローラーＲの移動には、この走行ローラーＷのローラー軸Ｌ端に形成してある棒状の軸部に嵌め合わせる一方向回転伝達式の揺動する揺動レバーＢの繰り返しの揺動操作によるものとしている。すなわち、この揺動操作レバーＢは、これの先端部に、多角形状のローラー軸Ｌ端に嵌め合わせられる回転キャップと、この回転キャップを選択する一方向にのみ回転させるように一方向クラッチ手段とを組み込んで成る。そしてローラー軸Ｌ端に回転キャップを嵌め合わせた後の揺動操作レバーＢの繰り返しの揺動操作でローラー軸Ｌ、走行ローラーＷをいずれかの方向で回転させ、走行移動できるようにしている。
【００１６】
ケース体１自体は、上述したように正面からみて横長の長円形状を呈し、所定の深さに形成されることで周側壁を備えた前ケース部２と、この前ケース部２とほぼ同型の外郭形状を呈し、前ケース部２の長円形開口部に施蓋されるプレート状の後ケース部３とから成る。図示のように後ケース部３は、これの中央部分が両側から抉られているようにされることで狭幅な、また前ケース部２側に突出折曲されている断面で溝形の連結部４を有する。この連結部４は前ケース部２のほぼ中央にネジ止め固着されることで、後述の循環する連繋チェーン１５の循環経路とは互いに干渉しないようにして、後ケース部３を前ケース部２に連結固定させている。
【００１７】
また、このケース体１は、前ケース部２、後ケース部３の連結部位である連結部４を貫挿して、搬送ローラーＲの躯体にネジ込まれる取付ネジ５によって、搬送ローラーＲの側面にしっかりと固定される。
【００１８】
このケース体１には、搬送ローラーＲにおける走行ローラーＷのローラー軸Ｌ端それぞれに嵌め合わせる複数のスプロケット歯車１０と、このスプロケット歯車１０それぞれに掛巡される連繋チェーン１５とが設けられている。スプロケット歯車１０は、走行ローラーＷのローラー軸Ｌ端に嵌め合わされる連結孔１１が開穿されており、ケース体１の前ケース部２に開穿された円形の軸支孔１２に嵌め込まれることで回転自在に支承されている。連結孔１１は、ローラー軸Ｌ端の断面外形例えば６角形状外形にきっちりと嵌り合う内形すなわち６角形状内形に形成されており、嵌め合い着脱の容易性を考慮して開口端縁部は円弧状の面取り処理が施されている。
【００１９】
連繋チェーン１５は複数のスプロケット歯車１０に掛け渡されており、いずれかのスプロケット歯車１０が直接に回転されることで他のスプロケット歯車１０も同期して回転させ、ローラー軸Ｌ更に走行ローラーＷを回転させるようにしている。
【００２０】
尚、図示にあっての走行ローラーＷは前後の２列に配列され、また左右で対状に配設されることで、計４個のものとしてある。もとより、前後の列数が３列以上であったり、左右で３個以上であったりしても良く、走行ローラーＷの個数は特に限定されない。またローラー軸Ｌ数に対応して、スプロケット歯車１０数も変更され、連繋チェーン１５もそれらの複数のスプロケット歯車１０に掛け渡される。
【００２１】
次にこれの使用の一例を説明する。図５に示すように例えば各種工場等に据え付ける工作機器等の重量物である被運搬物Ｃを搬送ローラーＲに載置し、搬送させる。このとき、例えば据え付け場所で設置位置の微調整を行うとき、搬送ローラーＲにおける走行ローラーＷの一側面側のローラー軸Ｌ端にスプロケット歯車１０を嵌め合わせてケース体１を搬送ローラーＲの側面に固定する。次いで、例えばラチェット機構による一方向回転伝達構造を備えた揺動操作レバーＢを搬送ローラーＲにおける他側面側のいずれかのローラー軸Ｌ端に装着する。そして揺動操作レバーＢ自体の揺動操作によって、ローラー軸Ｌ端を回転させ、スプロケット歯車１０、連繋チェーン１５を経て他のローラー軸Ｌ、走行ローラーＷを回転させて、据え付けるべき所定位置に対する微調整等を行う。
【００２２】
もとより、微調整の移動のみならず、搬送ローラーＲによる被運搬物Ｃの移動に際し、走行ローラーＷそれぞれの単独転動で十分な場合であればともかく、複数のローラー軸Ｌの同期転動によって移動させるときに使用でき、作業状況によって選択可能である。
【図面の簡単な説明】
【００２３】
【図１】本発明を実施するための最良の形態を示す分解斜視図である。
【図２】同じく正断面図である。
【図３】同じく底断面図である。
【図４】同じく側断面図である。
【図５】同じく使用状態の概略斜視図である。
【符号の説明】
【００２４】
Ｂ…揺動操作レバー                      Ｃ…被運搬物
Ｌ…ローラー軸                          Ｒ…搬送ローラー
Ｗ…走行ローラー
１…ケース体                            ２…前ケース部
３…後ケース部                          ４…連結部
５…取付ネジ
１０…スプロケット歯車                  １１…連結孔
１２…軸支孔                            １５…連繋チェーン
【図１】
2008100829.tif 000003
【図２】
2008100829.tif 000004
【図３】
2008100829.tif 000005
【図４】
2008100829.tif 000006
【図５】
2008100829.tif 000007